【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
印刷ジョブを実行する印刷装置であって、
前記印刷ジョブを受信する受信手段と、
前記受信手段により受信された印刷ジョブに基づいて印刷物を生成する印刷手段と、
前記受信手段が受信した印刷ジョブに前記印刷物に対して前記印刷装置とは異なる他の装置により後処理を実行すべきことを示す制御情報が含まれている場合は該制御情報を示す作業指示書を生成するよう前記印刷手段を制御し、前記受信手段が受信した印刷ジョブに前記印刷物に対して前記印刷装置とは異なる他の装置により後処理を実行すべきことを示す制御情報が含まれていない場合は前記作業指示書を生成しないよう前記印刷手段を制御する制御手段と、
を有することを特徴とする印刷装置。
【請求項２】
印刷ジョブを実行する印刷装置であって、
前記印刷ジョブを受信する受信手段と、
前記受信手段により受信された印刷ジョブに基づいて印刷物を生成する印刷手段と、
前記受信手段が受信した印刷ジョブに前記印刷物に対して後処理を実行するのに先立ってオペレータによる当該印刷物の運搬作業を要するジョブであることを示す制御情報が含まれている場合は該制御情報を示す指示書を生成するよう前記印刷手段を制御し、前記受信手段が受信した印刷ジョブに前記印刷物に対して後処理を実行するのに先立ってオペレータによる当該印刷物の運搬作業を要するジョブであることを示す制御情報が含まれていない場合は、該制御情報を示す指示書を生成しないよう前記印刷手段を制御する制御手段と、
を有することを特徴とする印刷装置。
【請求項３】
前記制御手段は、オペレータにより目視可能な情報が記述される指示書を生成するよう前記印刷手段を制御することを特徴とする請求項１又は２に記載の印刷装置。
【請求項４】
前記制御手段は、前記印刷手段により生成される印刷物に対して後処理を実行するための後処理装置によって解釈可能な情報が記述される指示書を生成するよう前記印刷手段を制御することを特徴とする請求項１又は２に記載の印刷装置。
【請求項５】
印刷ジョブを実行する印刷装置の制御方法であって、
受信手段が、前記印刷ジョブを受信する受信工程と、
印刷手段が、前記受信工程が受信した印刷ジョブに基づいて印刷物を生成する印刷工程と、
制御手段が、前記受信工程が受信した印刷ジョブに前記印刷物に対して前記印刷装置とは異なる他の装置により後処理を実行すべきことを示す制御情報が含まれている場合は該制御情報を示す作業指示書を生成するよう前記印刷工程を制御し、前記受信工程が受信した印刷ジョブに前記印刷物に対して前記印刷装置とは異なる他の装置により後処理を実行すべきことを示す制御情報が含まれていない場合は前記作業指示書を生成しないよう前記印刷工程を制御する制御工程と、
を有することを特徴とする印刷装置の制御方法。
【請求項６】
印刷ジョブを実行する印刷装置の制御方法であって、
受信手段が、前記印刷ジョブを受信する受信工程と、
印刷手段が、前記受信工程が受信した印刷ジョブに基づいて印刷物を生成する印刷工程と、
制御手段が、前記受信工程が受信した印刷ジョブに前記印刷物に対して後処理を実行するのに先立ってオペレータによる当該印刷物の運搬作業を要するジョブであることを示す制御情報が含まれている場合は該制御情報を示す指示書を生成するよう前記印刷工程を制御し、前記受信工程が受信した印刷ジョブに前記印刷物に対して後処理を実行するのに先立ってオペレータによる当該印刷物の運搬作業を要するジョブであることを示す制御情報が含まれていない場合は、該制御情報を示す指示書を生成しないよう前記印刷工程を制御する制御工程と、
を有することを特徴とする印刷装置の制御方法。
【手続補正２】
【補正対象書類名】明細書
【補正対象項目名】発明の名称
【補正方法】変更
【補正の内容】
【発明の名称】印刷装置及び印刷装置の制御方法
【手続補正３】
【補正対象書類名】明細書
【補正対象項目名】０００１
【補正方法】変更
【補正の内容】
【０００１】
本発明は、印刷物に行われる後処理に関する情報が記述される指示書を作成可能にする印刷装置及び印刷装置の制御方法に関するものである。
【手続補正４】
【補正対象書類名】明細書
【補正対象項目名】０００８
【補正方法】変更
【補正の内容】
【０００８】
上述の目的を達成するために、本発明は、印刷ジョブを実行する印刷装置であって、前記印刷ジョブを受信する受信手段と、前記受信手段により受信された印刷ジョブに基づいて印刷物を生成する印刷手段と、前記受信手段が受信した印刷ジョブに前記印刷物に対して前記印刷装置とは異なる他の装置により後処理を実行すべきことを示す制御情報が含まれている場合は該制御情報を示す作業指示書を生成するよう前記印刷手段を制御し、前記受信手段が受信した印刷ジョブに前記印刷物に対して前記印刷装置とは異なる他の装置により後処理を実行すべきことを示す制御情報が含まれていない場合は前記作業指示書を生成しないよう前記印刷手段を制御する制御手段と、を有することを特徴とする。
また、本発明は、印刷ジョブを実行する印刷装置であって、前記印刷ジョブを受信する受信手段と、前記受信手段により受信された印刷ジョブに基づいて印刷物を生成する印刷手段と、前記受信手段が受信した印刷ジョブに前記印刷物に対して後処理を実行するのに先立ってオペレータによる当該印刷物の運搬作業を要するジョブであることを示す制御情報が含まれている場合は該制御情報を示す指示書を生成するよう前記印刷手段を制御し、前記受信手段が受信した印刷ジョブに前記印刷物に対して後処理を実行するのに先立ってオペレータによる当該印刷物の運搬作業を要するジョブであることを示す制御情報が含まれていない場合は、該制御情報を示す指示書を生成しないよう前記印刷手段を制御する制御手段と、を有することを特徴とする。
【手続補正５】
【補正対象書類名】明細書
【補正対象項目名】００１６
【補正方法】変更
【補正の内容】
【００１６】
尚、本形態にて画像形成装置１０２は印刷システムとして機能し、不図示のインラインフィニッシャが接続されている。このインラインフィニッシャは、画像形成装置１０２により作成された印刷物をオペレータの介入作業無しに受け付けるためのシート搬送路や処理トレイなどの印刷物受付手段に相当する構成を具備する。本形態では、このインラインフィニッシャを用いて画像形成装置１０２で作成された印刷物に所望の後処理を実行することもできる。
【手続補正６】
【補正対象書類名】明細書
【補正対象項目名】０１４９
【補正方法】変更
【補正の内容】
【０１４９】
つまり、本発明には、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。プログラムを供給するためのコンピュータ読取可能な記憶媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【手続補正７】
【補正対象書類名】明細書
【補正対象項目名】０１５０
【補正方法】変更
【補正の内容】
【０１５０】
その他、プログラムの供給方法としては、クライアントコンピュータのブラウザを用いてインターネットのホームページに接続し、該ホームページからハードディスク等の記憶媒体にダウンロードすることによっても供給できる。その場合、ダウンロードされるのは、本発明の機能処理を実現するためのコンピュータプログラムそのもの、もしくは圧縮され自動インストール機能を含むファイルであってもよい。また、本発明の機能処理を実現するためのプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【手続補正８】
【補正対象書類名】明細書
【補正対象項目名】０１５１
【補正方法】変更
【補正の内容】
【０１５１】
また、本発明の機能処理を実現するためのプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。